(57)【要約】【課題】ラベルシートに撓みが生じた場合でもラベルシートを確実に保持でき、ラベルシートを光ディスクに密着でき、ラベルシートを光ディスクに対し正確な位置に貼り付けることのできるラベル保持器具及びラベル貼付装置を提供する。【解決手段】このラベル保持器具２０は、光ディスクに貼付可能なラベルシートを載置可能な載置面を有する載置台２１と、ラベルシート１０を載置面上で位置決めし保持するために中央孔１０ａで保持する複数のラベル保持部２２と、各ラベル保持部を互いに離反または接近するスライド方向にスライドさせるスライド機構と、を有し、各ラベル保持部は載置面から突き出てラベルシートの中央孔の口縁に当接するように設けられたラベル保持片２２ａを有し、各ラベル保持片が中央孔の口縁と当接する側に突起部を有する。【選択図】  図１
2004250022.tif 000002
【特許請求の範囲】
【請求項１】
ディスク状体に貼付可能なラベルシートを載置可能な載置面を有する載置台と、前記ラベルシートを前記載置面上で位置決めし保持するラベル保持手段と、を備え、前記ラベル保持手段が前記ラベルシートの中央孔で保持する複数のラベル保持部と、前記各ラベル保持部を互いに離反または接近するスライド方向にスライドさせるスライド機構と、を有するラベル保持器具であって、
前記各ラベル保持部は前記載置面から突き出て前記ラベルシートの中央孔の口縁に当接するように設けられたラベル保持片を有し、前記各ラベル保持片が前記中央孔の口縁と当接する側に突起部を有することを特徴とするラベル保持器具。
【請求項２】
前記突起部は前記載置面と反対側の前記各ラベル保持片上部に設けられていることを特徴とする請求項１に記載のラベル保持器具。
【請求項３】
前記各ラベル保持部は、前記各ラベル保持片に連結し前記スライド機構によりスライドされるスライド部を有し、
前記各スライド部は弾性変形可能に構成され前記各ラベル保持片とともに前記載置台内に押し込まれ得ることを特徴とする請求項１または２に記載のラベル保持器具。
【請求項４】
前記各ラベル保持部は、前記各ラベル保持片と前記各スライド部とを前記載置台内への押し込み方向と反対方向に付勢する弾性部を有することを特徴とする請求項３に記載のラベル保持器具。
【請求項５】
前記ラベル保持手段は前記各スライド部を案内するための案内部材を有し、前記案内部材はその外周に設けられた操作部を操作して回転させることで前記各スライド部を前記スライド方向にスライドさせることを特徴とする請求項３または４に記載のラベル保持器具。
【請求項６】
前記案内部材は前記各スライド部の案内突起がはまり込む案内部を有し、前記各案内突起は前記案内部から抜け出ないように抜け止め部を有することを特徴とする請求項５に記載のラベル保持器具。
【請求項７】
前記案内部材が前記各スライド部を前記スライド方向にスライドさせるために回転するときの回転範囲を規制する規制部を備えることを特徴とする請求項５または６に記載のラベル保持器具。
【請求項８】
ディスク状体に貼付可能なラベルシートを載置可能な載置面を有する載置台と、前記ラベルシートを前記載置面上で位置決めし保持するラベル保持手段と、を備え、前記ラベル保持手段が前記ラベルシートの中央孔で保持する複数のラベル保持部と、前記各ラベル保持部を互いに離反または接近するスライド方向にスライドさせるスライド機構と、を有するラベル保持器具であって、
前記各ラベル保持部は、前記載置面から突き出て前記ラベルシートの中央孔の口縁に当接するように設けられたラベル保持片と、前記各ラベル保持片に連結し前記スライド機構によりスライドされるスライド部と、を有し、
前記各スライド部は弾性変形可能に構成され前記各ラベル保持片とともに前記載置台内に押し込まれ得ることを特徴とするラベル保持器具。
【請求項９】
ディスク状体に貼付可能なラベルシートを載置可能な載置面を有する載置台と、前記ラベルシートを前記載置面上で位置決めし保持するラベル保持手段と、を備え、前記ラベル保持手段が前記ラベルシートの中央孔で保持する複数のラベル保持部と、前記各ラベル保持部を互いに離反または接近するスライド方向にスライドさせるスライド機構と、を有するラベル保持器具であって、
前記各ラベル保持部は、前記載置面から突き出て前記ラベルシートの中央孔の口縁に当接するように設けられたラベル保持片と、前記各ラベル保持片に連結し前記スライド機構によりスライドされるスライド部と、を有し、
前記ラベル保持手段は、前記各スライド部を案内するための案内部材を有し、前記案内部材はその外周に設けられた操作部を操作して回転させることで前記各スライド部を前記スライド方向にスライドさせることを特徴とするラベル保持器具。
【請求項１０】
前記案内部材は前記各スライド部の案内突起がはまり込む案内部を有し、前記各案内突起は前記案内部から抜け出ないように抜け止め部を有することを特徴とする請求項９に記載のラベル保持器具。
【請求項１１】
前記案内部材が前記各スライド部を前記スライド方向にスライドさせるために回転するときの回転範囲を規制する規制部を備えることを特徴とする請求項９または１０に記載のラベル保持器具。
【請求項１２】
請求項１乃至１１のいずれか１項に記載のラベル保持器具と、
前記ディスク状体を収容する第１の部材と、
前記ラベル保持器具を収容し前記第１の部材に対し相対的に回動する第２の部材と、を備え、
前記第１の部材と前記第２の部材とを相対的に回動させ接近させて前記第１の部材側の前記ディスク状体の表面に前記第２の部材側の前記ラベル保持器具に保持されたラベルシートを貼り付けることを特徴とするラベル貼付装置。
【請求項１３】
請求項３乃至１１のいずれか１項に記載のラベル保持器具と、
前記ディスク状体を収容する第１の部材と、
前記ラベル保持器具を収容し前記第１の部材に対し相対的に回動する第２の部材と、を備え、
前記第１の部材と前記第２の部材とを相対的に回動させ接近させて前記第１の部材側の前記ディスク状体の表面に前記第２の部材側の前記ラベル保持器具に保持されたラベルシートを貼り付ける際に、前記各ラベル保持部の前記各スライド部が前記各ラベル保持片とともに前記載置台内に押し込まれることで前記ディスク状体の表面と前記ラベルシートとが密着することを特徴とするラベル貼付装置。
【発明の詳細な説明】
【０００１】
【発明の属する技術分野】
本発明は、光ディスク等の表面に貼付するためのラベルシートを保持するラベル保持器具及び光ディスク等の表面にラベルシートを貼付するラベル貼付装置に関するものである。
【０００２】
【従来の技術】
ＣＤ−ＲやＣＤ−ＲＷ等の書き込み可能な光ディスクに、その記録情報の内容を表示するためにユーザがプリンタ等で作成したラベルシートを貼付するラベル貼付器が公知である（下記特許文献１参照）。ラベルシートは、その中央に円形の中央孔が形成されているが、この中央孔の内径は、例えば１７〜４１ｍｍの範囲で製造メーカや製品タイプ毎に様々に異なる。かかるラベル貼付器として、本出願人は、先に、内径の異なる中央孔が形成された各種のラベルシートを正確かつ容易に位置決めし保持し得るラベル保持器具及びラベル貼付装置を提案した（特願２００２−２５０００９参照）。このラベル保持器具及びラベル貼付装置を図１３に示す。
【０００３】
図１３のラベル保持器具１は、ディスク状体に貼付可能に構成されたラベルシート１０を円形部１ａ上に載置可能な載置台２と、ラベルシートの中央部に形成された中央孔１０ａの口縁に当接してラベルシートを載置台２の円形部１ａ上のラベル保持位置に位置決めし保持する３つのラベル保持部３と、を備える。各ラベル保持部３は、ラベルシートの中央孔１０ａの口縁にその内側から当接可能なように円形部１ａの平面から突き出た保持片３ａと、保持片３ａに連結し円形部１ａの半径方向の案内溝３ｃ内で移動可能なスライド部３ｂとを有し、各保持片３ａが互いに離反または接近するように円形部１ａの半径方向にスライド可能に構成される。各保持片３ａの中央に設けられたつまみ４を回転させることで各保持片３ａが各スライド部３ｂとともに同期して円形部１ａの半径方向にスライドするようになっている。ラベル保持器具１は、載置台２の円形部１ａ上にラベルシート１０を載せ、つまみ４の回転で各保持片３ａをスライドさせラベルシートの中央孔１０ａの口縁に当接させてラベルシート１０を保持する。
【０００４】
図１３のラベル貼付装置は、例えば直径が１２ｃｍの光ディスクＤにラベルシート１０を貼付するために、上記ラベル保持器具１と、光ディスクＤを収容する収容ケース５と、を備える。収容ケース５は、本体６、蓋体７及びトレー８を備え、本体６はトレー８を取付け、蓋体１３を回動軸７ａで回動可能に軸支している。トレー８は、複数のディスク係止片９ａで光ディスクＤの中心孔Ｄａの口縁を係止して光ディスクＤをトレー８に保持する。蓋体７の内面側には側壁から４つの保持片７ｂが突出しており、ラベル保持器具１を蓋体７の内面に取り付け保持片７ｂで保持する。ラベル貼付装置は、本体６のトレー８に光ディスクＤを保持し、蓋体７のラベル保持器具１にラベルシート１０を保持した状態で、本体６と蓋体７とを図の回転方向Ｅ１，Ｅ２に互いに接近するよう相対回転させて収容ケース５を閉じることで、ラベルシートを光ディスクＤの表面に貼り付ける。
【０００５】
上述のようなラベル保持器具及びラベル貼付装置には下記の点で改良する余地がある。
【０００６】
（１）ラベルシートに撓みが生じると、ラベルシート１０をラベル保持器具１の保持片３ａに中央孔１０ａの口縁に当接させて保持するときに、保持片３ａから中央孔１０ａが外れ易い。このため、ラベルシート１０をラベル保持器具１に保持するのに手間取る。特に、ラベルシートの材質が紙の場合、撓みが発生し易い。
【０００７】
（２）ラベルシート１０を光ディスクＤに確実に貼り付けるためにラベル保持器具１で保持したラベルシート１０をトレー１４に保持した光ディスクＤにできるだけ密着させることが必要である。
【０００８】
（３）ラベルシート１０の中央孔１０ａに合わせて保持片３ａをスライドさせるため保持片３ａのスライドを容易かつ正確に行い、保持片３ａをラベルシート１０の中央孔１０ａに合わせて正確に位置決めし、ラベルシート１０を光ディスクＤに対し正確な位置に貼り付けることが必要である。
【０００９】
【特許文献１】
特開２００１−２０４１公報
【００１０】
【発明が解決しようとする課題】
本発明は、上述のような従来技術の問題に鑑み、ラベルシートに撓みが生じた場合でもラベルシートを確実に保持でき、ラベルシートを光ディスクに密着でき、ラベルシートを光ディスクに対し正確な位置に貼り付けることのできるラベル保持器具及びラベル貼付装置を提供することを目的とする。
【００１１】
【課題を解決するための手段】
上記目的を達成するために、本発明によるラベル保持器具は、ディスク状体に貼付可能なラベルシートを載置可能な載置面を有する載置台と、前記ラベルシートを前記載置面上で位置決めし保持するラベル保持手段と、を備え、前記ラベル保持手段が前記ラベルシートの中央孔で保持する複数のラベル保持部と、前記各ラベル保持部を互いに離反または接近するスライド方向にスライドさせるスライド機構と、を有するラベル保持器具であって、前記各ラベル保持部は前記載置面から突き出て前記ラベルシートの中央孔の口縁に当接するように設けられたラベル保持片を有し、前記各ラベル保持片が前記中央孔の口縁と当接する側に突起部を有することを特徴とする。
【００１２】
このラベル保持器具によれば、ラベルシートをその中央孔の口縁にラベル保持片に当接させて保持するとき、各ラベル保持片の突起部によりラベルシートが中央孔から外れ難くなる。このため、ラベルシートに撓みが発生していてもラベルシートを確実に保持でき、かかるラベル保持器具をラベル貼付装置で用いることで、ラベルシートをディスク状体に対し正確な位置に貼り付けることができる。
【００１３】
上記ラベル保持器具では、前記突起部は前記載置面と反対側の前記各ラベル保持片上部に設けられていることが好ましい。
【００１４】
また、前記各ラベル保持部は、前記各ラベル保持片に連結し前記スライド機構によりスライドされるスライド部を有し、前記各スライド部は弾性変形可能に構成され前記各ラベル保持片とともに前記載置台内に押し込まれ得るように構成することが好ましい。かかるラベル保持器具をラベル貼付装置で用い、ラベルシートをディスク状体の表面に接近させたとき、各スライド部と各ラベル保持片とが弾性変形し載置台側に押し込まれるので、ラベルシートがディスク状体の表面に密着でき、また、上述の突起部を設けた各ラベル保持片からラベルシートの中央孔が逃げることができ、ラベルシートをディスク状体に確実に貼り付けることができる。また、各ラベル保持片からラベルシートの中央孔が逃げることで、ラベルシートへの傷付きを防止できる。
【００１５】
この場合、前記各ラベル保持部は、前記各ラベル保持片と前記各スライド部とを前記載置台内への押し込み方向と反対方向に付勢する弾性部を有することにより、弾性部の復元力により各スライド部のへたりを防止できる。
【００１６】
また、前記ラベル保持手段は前記各スライド部を案内するための案内部材を有し、前記案内部材はその外周に設けられた操作部を操作して回転させることで前記各スライド部を前記スライド方向にスライドさせるように構成することが好ましい。案内部材の外周の操作部を操作して案内部材を容易かつ正確に回転させることができるので、スライド部をより安定してスライドさせることができかつ正確に位置決めすることができる。このため、ラベル保持片をラベルシートの中央孔の口縁に適切に当接させてラベルシートを確実に保持できる。
【００１７】
なお、案内部材は、内周側から外周側に向けて半径が大きくなるような円弧状の案内開口等の案内部を備えることが好ましく、この案内部に沿ってスライド部がスライド方向にスライドできる。
【００１８】
また、前記案内部材は前記各スライド部の案内突起がはまり込む案内開口等の案内部を有し、前記各案内突起は前記案内部から抜け出ないように抜け止め部を有することで、スライド部が安定してスライドでき、また衝撃等でスライド部が案内部から外れたり位置ずれを起こしたりすることを防止できる。
【００１９】
また、前記案内部材が前記各スライド部を前記スライド方向にスライドさせるために回転するときの回転範囲を規制する規制部を備えることで、スライド部を安定してスライド操作できる。
【００２０】
本発明による別のラベル保持器具は、ディスク状体に貼付可能なラベルシートを載置可能な載置面を有する載置台と、前記ラベルシートを前記載置面上で位置決めし保持するラベル保持手段と、を備え、前記ラベル保持手段が前記ラベルシートの中央孔で保持する複数のラベル保持部と、前記各ラベル保持部を互いに離反または接近するスライド方向にスライドさせるスライド機構と、を有するラベル保持器具であって、前記各ラベル保持部は、前記載置面から突き出て前記ラベルシートの中央孔の口縁に当接するように設けられたラベル保持片と、前記各ラベル保持片に連結し前記スライド機構によりスライドされるスライド部と、を有し、前記各スライド部は弾性変形可能に構成され前記各ラベル保持片とともに前記載置台内に押し込まれ得ることを特徴とする。
【００２１】
このラベル保持器具によれば、ラベル保持器具をラベル貼付装置で用い、ラベルシートをディスク状体の表面に接近させたとき、各スライド部と各ラベル保持片とが弾性変形し載置台側に押し込まれるので、ラベルシートがディスク状体の表面に密着でき、ラベルシートをディスク状体に確実に貼り付けることができる。
【００２２】
本発明による更に別のラベル保持器具は、ディスク状体に貼付可能なラベルシートを載置可能な載置面を有する載置台と、前記ラベルシートを前記載置面上で位置決めし保持するラベル保持手段と、を備え、前記ラベル保持手段が前記ラベルシートの中央孔で保持する複数のラベル保持部と、前記各ラベル保持部を互いに離反または接近するスライド方向にスライドさせるスライド機構と、を有するラベル保持器具であって、前記各ラベル保持部は、前記載置面から突き出て前記ラベルシートの中央孔の口縁に当接するように設けられたラベル保持片と、前記各ラベル保持片に連結し前記スライド機構によりスライドされるスライド部と、を有し、前記ラベル保持手段は、前記各スライド部を案内するための案内部材を有し、前記案内部材はその外周に設けられた操作部を操作して回転させることで前記各スライド部を前記スライド方向にスライドさせることを特徴とする。
【００２３】
このラベル保持器具によれば、案内部材の外周の操作部を操作して案内部材を容易かつ正確に回転させることができるので、スライド部をより安定してスライドさせることができかつ正確に位置決めすることができる。このため、ラベル保持片をラベルシートの中央孔の口縁に適切に当接させてラベルシートを確実に保持できる。
【００２４】
また、前記案内部材は前記各スライド部の案内突起がはまり込む案内部を有し、前記各案内突起は前記案内部から抜け出ないように抜け止め部を有することで、スライド部が安定してスライドでき、また衝撃等でスライド部が案内部から外れたり位置ずれを起こしたりすることを防止できる。
【００２５】
また、前記案内部材が前記各スライド部を前記スライド方向にスライドさせるために回転するときの回転範囲を規制する規制部を備えることで、スライド部を安定してスライド操作できる。
【００２６】
本発明によるラベル貼付装置は、上述のラベル保持器具と、前記ディスク状体を収容する第１の部材と、前記ラベル保持器具を収容し前記第１の部材に対し相対的に回動する第２の部材と、を備え、前記第１の部材と前記第２の部材とを相対的に回動させ接近させて前記第１の部材側の前記ディスク状体の表面に前記第２の部材側の前記ラベル保持器具に保持されたラベルシートを貼り付けることを特徴とする。
【００２７】
このラベル貼付装置によれば、ラベルシートに撓みが生じた場合でもラベルシートを確実に保持でき、またラベルシートをディスク状体に密着でき、ラベルシートをディスク状体に対し正確な位置に貼り付けることができる。
【００２８】
本発明による別のラベル貼付装置は、上述のラベル保持器具と、前記ディスク状体を収容する第１の部材と、前記ラベル保持器具を収容し前記第１の部材に対し相対的に回動する第２の部材と、を備え、前記第１の部材と前記第２の部材とを相対的に回動させ接近させて前記第１の部材側の前記ディスク状体の表面に前記第２の部材側の前記ラベル保持器具に保持されたラベルシートを貼り付ける際に、前記各ラベル保持部の前記各スライド部が前記各ラベル保持片とともに前記載置台内に押し込まれることで前記ディスク状体の表面と前記ラベルシートとが密着することを特徴とする。
【００２９】
このラベル貼付装置によれば、ディスク状体の表面にラベル保持器具に保持されたラベルシートを貼り付けるときに、各スライド部と各ラベル保持片とが弾性変形し載置台側に押し込まれるので、ラベルシートがディスク状体の表面に密着でき、ラベルシートをディスク状体に確実に貼り付けることができる。
【００３０】
なお、本発明によるラベル保持器具は、ディスク状体に貼付可能なラベルシートを載置する載置面を有する載置台と、前記ラベルシートを前記載置面上で位置決めし保持するラベル保持手段と、前記載置台を収容する収容ケースに設けられた被係止部に係止可能な係止部と、を備えることが好ましい。このラベル保持器具によれば、ラベル保持器具の載置台を収容ケースに収容したとき、係止部が収容ケースに設けられた被係止部に係止することで、ラベル保持器具が収容ケースから不測に外れてしまうことを防止できる。
【００３１】
また、本発明によるラベル貼付装置は、ディスク状体に貼付可能なラベルシートを載置する載置面を有する載置台と前記ラベルシートを前記載置面上で位置決めし保持するラベル保持手段とを有するラベル保持器具と、前記ディスク状体を収容する第１の部材と前記ラベル保持器具を収容し前記第１の部材に対し相対的に回動する第２の部材とを有する収容ケースと、を備え、前記第１の部材と前記第２の部材とを相対的に回動させ接近させて前記第１の部材側の前記ディスク状体の表面に前記第２の部材側の前記ラベル保持器具に保持されたラベルシートを貼り付けるラベル貼付装置であって、前記ラベル保持器具は前記第２の部材に設けられた被係止部に係止可能な係止部を備え、前記載置台が前記第２の部材に収容されたときに前記係止部が前記被係止部に係止することで前記収容ケースからの離脱を防止するように構成することが好ましい。このラベル貼付装置によれば、ラベル保持器具を収容ケースに収容したとき、係止部が収容ケースの第２の部材に設けられた被係止部に係止することで、ラベル保持器具が収容ケースから不測に離脱し外れてしまうことを防止できる。
【００３２】
上記ラベル貼付装置において前記第２の部材が前記載置台を収容する矩形状の凹部を構成するように設けられた側壁に前記被係止部として開口を有することが好ましい。また、前記第２の部材が前記開口近傍に前記載置台を保持する保持片を有することが好ましく、この場合、前記開口は前記側壁に前記保持片を成型金型で成形する際に配置された金型部材により形成されたものであることが好ましい。保持片を成形するための成形金型の構造から形成される開口を被係止部として用いることができるので、開口を特別に形成する必要がなく、コスト高につながらない。
【００３３】
【発明の実施の形態】
以下、本発明による実施の形態について図面を用いて説明する。図１は本実施の形態によるラベル貼付装置の斜視図である。図２は図１のラベル貼付装置の平面図である。図３は図１のラベル貼付装置の側面図である。図４は図１のラベル貼付装置のラベル保持器具におけるラベル保持片の位置が図２と異なる場合の平面図である。但し、図２乃至図４はラベル貼付装置の収容ケース内に光ディスクを収容していない状態を示す。
【００３４】
図１に示すように、本実施の形態によるラベル貼付装置１１は、ディスク状体として光ディスクＤを保持し収容する収容ケース１９と、収容ケース１９に保持され収容されるとともに光ディスクＤの表面に貼り付けられるラベルシート１０を保持するラベル保持器具２０と、を備える。なお、ラベルシート１０の図１の表面側は接着剤が塗布された接着面に形成され、その裏面は所定の情報がプリントされている。
【００３５】
収容ケース１９は、光ディスクＤを保持するトレー部１４が取り付け固定された本体１２と、ラベル保持器具２０が着脱自在に取り付けられる蓋体１３と、を備える。本体１２と蓋体１３とは、回動軸１３ａで回動可能に軸止されて連結され、図１のように１８０度開放されるとともに、図１の開放状態から１８０度相対的に回動して閉塞可能である。
【００３６】
本体１２は、矩形状の底板１２ａと、底板１２ａから垂直に設けられた側壁１２ｂ、１２ｂと、同じく垂直に設けられた前面壁１２ｃと、を備え、その内部にトレー部１４を固定的に設けている。トレー部１４は、図１〜図４のように、光ディスクＤを中心孔Ｄａで保持するディスク保持部１５を備え、ディスク保持部１５は、複数に分割されて底面から突き出て弾性変形可能なディスク係止片１５ａで光ディスクＤの中心孔Ｄａの口縁を係止するようにして光ディスクＤをトレー部１４の凹部１４ａ内で保持する。
【００３７】
蓋体１３は、矩形状の上板１３ｄと、上板１３ｄから垂直に設けられた側壁１３ｅ，１３ｅと、ラベル保持器具２０を保持するように各側壁１３ｅから半円状に突き出てた保持突起１３ｂ，１３ｂと、ラベル保持器具２０の位置規制のために底板１２の前面壁１２ｃに対応して前面側に設けられたストッパ１３ｃ、１３ｃと、を備える。蓋体１３の奥側（回動軸１３ａ側）にある保持突起１３ｂ，１３ｂの下部の各側壁１３ｅには、図１のように、開口１３ｆが形成されており、載置台２１の係止部２５がはまり込むようになっている（図２，図４参照）。
【００３８】
図１乃至図４のように、ラベル保持器具２０は、図１のラベルシート１０が載る円形平面２１ａを有する円形状の載置台２１と、円形平面２１ａの中央部分に設けられた複数のラベル保持部２２と、載置台２１内に設けられた案内板２３と、を備える。
【００３９】
図１乃至図４のラベル保持器具２０の各部分について図５乃至図１０により更に説明する。図５は図１のラベル保持器具の載置台の平面図（ａ）、図５（ａ）のＢ−Ｂ線方向に切断して見た断面図（ｂ）及び図５（ａ）のＣ−Ｃ線方向に切断して見た断面図（ｃ）である。図６は図５の載置台の底面図である。図１０はラベル保持器具２０の各部分の分解斜視図である。
【００４０】
図５（ａ），（ｂ），（ｃ），図６のように、ラベル保持器具２０の載置台２１は、ラベル保持器具２０が保持突起１３ｂ，１３ｂにより蓋体１３に保持されるように四隅に設けられた板状の保持部２４ａ，２４ｂ，２４ｃ，２４ｄと、円形平面２１ａの中央部にほぼ等間隔に３つ股に形成され円形平面２１ａの半径方向にそれぞれ延びる開口２１ａと、円形平面２１ａが保持部２４ａ，２４ｂ，２４ｃ，２４ｄの平面よりも突き出てその内部に案内板２３を配置できるように裏面側に凹んで形成された凹部２１ｂと、を備える。
【００４１】
また、図２，図４，図５（ａ），図１０のように、載置台２１の凹部２１を形成する円形状の壁面の一部が切り欠かれて切り欠き部２１ｃが形成されており、この切り欠き部２１ｃから案内板２３の操作部２３ｂ（図７）が突き出て外部から操作できる。
【００４２】
また、図５（ａ）に示すように、載置台２１の保持部２４ａ，２４ｂには、収容ケース１９の蓋体１３の側壁１３ｅに接近する側に係止部２５が設けられている。即ち、保持部２４ａ，２４ｂの一部が面状に切り欠かれて切り欠き２５ｂが係止部２５近傍に形成され、切り欠き２５ｂにより係止部２５が弾性変形可能に構成され、係止部２５の先端には爪部２５ａが形成されている。載置台２１を蓋体１３に取り付けるとき係止部２５が全体的に弾性変形して爪部２５ａが蓋体１３の側壁１３ｅに形成された開口１３ｆに係止する（図２，図４参照）。
【００４３】
蓋体１３の開口１３ｆは、成形時に成形金型で各側壁１３ｅに保持突起１３ｂ，１３ｂを成形する際に形成できるが、この成形金型について図１４を参照して説明する。図１４は図１の蓋体を成形する成形金型の保持突起を成形する部分を示す部分断面図である。図１４のように、固定側金型５１と可動側金型５２とスライド部材５３とでキャビティの保持突起形成空間５４を形成し、成形後の離型時に、スライド部材５３を図の水平方向Ｈに引き抜き、固定側金型５１と可動側金型５２とを図の垂直方向Ｖに引き離すことで、保持突起を有する成形品を得ることができるが、この成形品の側壁にはスライド部材５３の先端部５３ａに対応して上記開口１３ｆが形成される。
【００４４】
図７は図１のラベル保持器具の案内板の平面図（ａ）、側面図（ｂ）及び図７（ａ）のＣＣ−ＣＣ線方向に切断して見た断面図（ｃ）である。図８は図７の案内板の底面図（ａ）及び図８（ａ）のＢＢ−ＢＢ線方向に切断して見た断面図（ｄ）である。
【００４５】
図７（ａ），（ｂ），（ｃ），図８のように、ラベル保持器具２０の案内板２３は、円形状に構成され、載置台２１の凹部２１ｂ内に回転可能に配置されるとともに、載置台２１の各開口２１ａに対応して形成された案内開口２３ａと、外周から突き出て案内板２３を容易に回転できるように設けられた操作部２３ｂと、を備える。
【００４６】
各案内開口２３ａは、案内板２３の中心Ｐに関し点対称に形成され、中心Ｐから比較的近い位置から次第に遠ざかるような円弧状に形成されている。ラベル保持部２２のスライド部（図９）を案内開口２３ａに沿って案内することで載置台２１の円形平面２１ａの半径方向にスライドさせることができる。各案内開口２３ａの一端２３ｃは比較的大きな開口に形成されている。
【００４７】
案内板２３が載置台２１の凹部２１ｂに配置されると、図５（ａ）の切り欠き部２１ｃを通して操作部２３ｂが載置台２１の外側に出て掴むことで案内板２３を容易に回転できる。案内板２３は切り欠き部２１ｃの一端２１ｄと他端２１ｅとの間を往復移動できるが、この案内板２３の回転移動時に操作部２３ｂが一端２１ｄ、他端２１ｅに当接することで案内板２３の回転が規制され、その回転範囲が切り欠き部２１ｃの一端２１ｄと他端２１ｅとの間に制限される。
【００４８】
図９は図１のラベル保持部のラベル保持片及びスライド部の底面図（ａ）、平面図（ｂ）、左側面図（ｃ）、右側面図（ｄ）、正面図（ｅ）及び図９（ｂ）のＦ−Ｆ線方向に切断して見た断面図（ｆ）である。
【００４９】
図９（ａ）乃至（ｆ）に示すように、図１乃至図４のラベル保持器具２０の各ラベル保持部２２は、略矩形の板状に形成され載置台２１の開口２１ａに対応して配置されるスライド部２２ｂと、スライド部２２ｂの先端側（円形平面２１ａの中心側）に設けられた円弧状のラベル保持片２２ａと、を有する。各ラベル保持片２２ａは、垂直方向に開口２１ａを通して円形平面２１ａから突き出るように設けられ、また各スライド部２２ｂがスライドし最も接近したときに、連続的な円形を構成するようになっている。
【００５０】
また、円形平面２１ａから突き出たラベル保持片２２ａの上部には、図９（ｂ），（ｅ），（ｆ）に示すように、小突起が突き出るように突起部２２が設けられており、各ラベル保持片２２ａでラベルシート１０を中心孔１０ａで保持したときに、ラベルシート１０が中心孔１０ａから外れ難くなっている。
【００５１】
また、各スライド部２２ｂの長手方向の略中心からラベル保持片２２ａの付け根部にかけて矩形状の開口２２ｇが形成され、図９（ｅ）、（ｆ）のように開口２２ｇのラベル保持片２２ａと対向する端部から下方にスライド部２２ｂの平面に対し傾斜し弾性変形の可能な弾性部２２ｃが板状に形成されている。
【００５２】
また、矩形状の開口２２ｇの弾性部２２ｃを挟んで反対側に別の開口２２ｈが形成され、図９（ｅ）、（ｆ）のように弾性部２２ｃの近傍の開口２２ｈの端部から下方に突き出るようにして案内突起２２ｅが設けられている。案内突起２２ｅは、案内板２３の案内開口２３ａにはまり込み、また、案内突起２２ｅの先端側には略半円状に突き出るように抜け止め部２２ｆが設けられ、スライド部２２ｂが案内開口２３ａから抜け出ないようになっている。
【００５３】
また、スライド部２２ｂは案内板２３に案内突起２２ｅから案内開口２３ａにはめ込まれて取り付けられるが、この取り付け後、ラベル保持片２２ａ及びその近傍部分は案内板２３側に弾性的に撓むことができ、押し込まれると弾性的に復元可能になっている。この押し込みのときの押し込み力に抗して弾性部２２ｃが案内板２３に当接しスライド部２２ｂを弾性復元するように付勢する。
【００５４】
上述のような載置台２１，ラベル保持部２２及び案内板２３を図１０のように組み立ててラベル保持器具２０を得ることができる。即ち、各ラベル保持部２２を図９の案内突起２２ｅの抜け止め部２２ｆから案内板２３の案内開口２３ａの比較的大きな一端２３ｃにはめ込んでそれぞれ取り付ける。そして、ラベル保持部２２を取り付けた案内板２３を載置台２１の裏面側から凹部２１ｂ内に取り付ける。このとき、各ラベル保持部２２のスライド部２２ｂが載置台２１の各開口２１ａに対応して取り付けられ、ラベル保持片２２ａが載置台２１の円形平面２１ａから突き出るとともに、案内板２３の操作部２３ｂが載置台２１の切り欠き部２１ｃから突き出る。
【００５５】
上述のようにして、ラベル保持器具２０を組み立てることで、案内板２３と、複数のラベル保持部２２と、載置台２１の複数の開口２１ａとでスライド機構を構成でき、案内板２３を操作部２３ｂで回転させることにより、各ラベル保持部２２が案内突起２２ｅと案内開口２３ａとの相対位置を変えながら載置台２１の複数の開口２１ａ内で半径方向にスライドできる。
【００５６】
以上のように組み立てられたラベル保持器具２０は、収容ケース１９の蓋体１３の内面側に、保持部２４ａ、２４ｂから差し込み、保持部２４ａ、２４ｂの各係止部２５が蓋体１３の各側壁１３ｅの開口１３ｆにはまり込むまで押し込むことで、ラベル保持器具２０を収容ケース１９に不測に抜け出ないように取り付けることができる。このようにして、収容ケース１９にラベル保持器具２０を取り付けてラベル貼付装置１１を得ることができる。
【００５７】
次に、図１乃至１０のラベル保持器具２０及びラベル貼付装置１１の動作について図１１、図１２を更に参照して説明する。図１１は図２のラベル保持器具のラベル保持部を図２のＤＤ−ＤＤ線方向に切断して見た要部側断面図である。図１２は図１１のラベル保持部の位置をラベルシートに合わせて移動させてからラベルシートと光ディスクとを密着させた状態を示す要部側断面図である。
【００５８】
図２、図１１のように、ラベル保持器具２０において、各ラベル保持部２２は、スライド部２２ｂが載置台２１の内面と案内板２３の上面との間の空間内に位置し、載置台２１の円形平面２１ａの半径方向にスライド可能である。即ち、操作部２３ｂを図２のように載置台２１の一端２１ｅまで回転させると、各スライド部２２ｂが中心方向にスライドし最も中心側に接近して各ラベル保持片２２ａが最小径となる。この状態で、図１のラベルシート１０を載置台２１の円形平面２１ａ上に載せると、その中心孔１０ａがラベル保持片２２ａの外側に位置する。
【００５９】
次に、操作部２３ｂで案内板２３を図２の回転方向Ｒに回転させると、各スライド部２２ｂは、案内突起２２ｅと案内開口２３ａとの相対位置が変化し、案内突起２２ｅの位置が案内開口２３ａにより中心から半径方向に離れる方向に移動するため、半径方向の外側方向ｒ（図１１）にスライドし、このスライドにより各ラベル保持片２２ａが互いに離れるようにして移動する。このようにして、操作部２３ｂで案内板２３を回転させてラベル保持片２２ａをラベルシート１０の中心孔１０ａの口縁に当接させる。これにより、ラベル保持器具２０において複数のラベル保持部２２でラベルシート１０を中心孔１０ａで確実に保持できる。
【００６０】
なお、操作部２３ｂにより案内板２３を図２の回転方向Ｒへ載置台２１の切り欠き部２１ｃの他端２１ｄまで回転させると、図４のように各スライド部２２ｂは、案内突起２２ｅが案内開口２３ａの半径方向に最も離れた位置までスライドし、ラベル保持片２２ａが載置台２１の開口２１ａの外方端２１ｆ（図５）に当接し、そこで停止する。そして、案内板２３を操作部２３ｂで回転方向Ｒと逆回転方向Ｒ’に回転させることで、各ラベル保持片２２ａを半径方向に接近する方向にスライドさせることができる。
【００６１】
次に、図１のように、収容ケース１９において光ディスクＤがディスク保持部１５にはめ込まれて固定された本体１２と、ラベルシート１０を保持したラベル保持器具２０が取り付けられた蓋体１３とを、方向Ｅ１，Ｅ２に相対的に回動させることで、閉じる。これにより、図１２のように、光ディスクＤの表面にラベルシート１０が密着することで、ラベルシート１０の表面側の接着面でラベルシート１０が光ディスクＤの表面に貼り付けられる。その後、本体１２と蓋体１３とを開放し、光ディスクＤを本体１２から取り出す。光ディスクＤにはラベルシート１０が貼り付けられ、ラベルシート１０は所定情報のプリントされた面が外側に位置する。
【００６２】
以上の図１乃至図１２のラベル保持器具２０及びラベル貼付装置１１によれば、次のような効果を得ることができる。
【００６３】
（１）ラベル保持器具２０でラベルシート１０をその中央孔１０ａの口縁に各ラベル保持片２２ａを保持する際に、各ラベル保持片２２ａの突起部２２ｄによりラベルシート１０が中央孔１０ａから外れ難くなる。例えば、ラベルシート１０に撓みが発生していても中央孔１０ａが突起部２２ｄでラベル保持片２２ａから外れない。このようにして、ラベル保持部２２によりラベルシート１０を正確な位置に確実に保持できるので、ラベル貼付装置１１によりラベルシート１０を光ディスクＤに対し正確な位置に貼り付けることができる。
【００６４】
（２）本体１２と蓋体１３とを閉じてラベルシート１０を光ディスクの表面に接近させたとき、例えば光ディスクＤの表面が各ラベル保持片２２ａを押し付けることでスライド部２２ｂがラベル保持片２２ａの近傍で弾性変形し載置台２１側に押し込まれるので、ラベルシート１０が光ディスクＤの表面に密着でき、また、突起部２２ｄを設けた各ラベル保持片２２ａからラベルシート１０の中央孔１０ａが逃げるように移動することで、ラベルシート１０を光ディスクＤの表面に確実に貼り付けることができる。また、各ラベル保持片２２ａからラベルシート１０の中央孔１０ａが逃げることで、ラベルシート１０の中央孔１０ａ近傍への傷付きを防止できる。
【００６５】
（３）図１１のように各ラベル保持部２２を組み立てると、各弾性部２２ｃが案内板２３に押し付けられた状態となって、ラベル保持片２２ａとスライド部２２ｂ載置台２１内への押し込み方向と反対方向に付勢することで、弾性部２２ｃの復元力によりスライド部２２ｂのへたりを防止できる。
【００６６】
（４）案内板２３を外周に設けた操作部２３ｂにより回転させることで各スライド部２２ｂを載置台２１の半径方向にスライドさせるので、案内板２３を容易かつ正確に回転させることができ、スライド部２２ｂをより安定してスライドさせることができラベル保持片２２ａを正確に位置決めできる。このため、ラベル保持片２２ａをラベルシート１０の中央孔１０ａの口縁に適切に当接させてラベルシート１０を確実に保持できる。
【００６７】
（５）案内板２３は、その操作部２２ｂが載置台２１の切り欠き部２１ｃの両端２１ｄ，２１ｅに当接することで、その回転範囲が規制されるので、スライド部２２ｂを安定してスライド操作できる。
【００６８】
（６）各ラベル保持部２２は、案内板２３の案内開口２３ａにはまり込む案内突起２２ｅで抜け止め部２２ｆを有するので、案内開口２３ａから抜け難くなり、スライド部２２ｂが安定してスライドでき、また衝撃等でスライド部２２ｂが案内開口２３ａから外れたり位置ずれを起こしたりすることを防止できる。
【００６９】
（７）ラベル保持器具２０を収容ケース１９の蓋体１３に取り付けたとき、ラベル保持器具２０の各係止部２５が弾性変形し蓋体１３側の開口１３ｆにはまり込み、爪部２５ａが開口１３ｆに係止することで、ラベル保持器具２０が収容ケース１９から不測に抜け出ないようにでき、ユーザが誤ってラベル保持器具２０を収容ケース１９から外してしまうことを防止できる。また、収容ケース１９の蓋体１３側の開口１３ｆは、蓋体１３の保持突起１３ｂを成形するための成形金型の構造から不可避的に形成される開口であるので、開口を特別に形成する必要がなく、被係止部としての開口１３ｆを設けても、コスト高にはならない。
【００７０】
以上のように本発明を実施の形態により説明したが、本発明はこれらに限定されるものではなく、本発明の技術的思想の範囲内で各種の変形が可能である。例えば、ラベル保持部は、３個以外であってもよく、２個または４個以上であってよい。
【００７１】
また、案内板の案内開口の形状や載置台の開口の形状を変更することで、ラベル保持部のスライド範囲を変えることができる。また、ラベルシートの貼り付け対象は、ＣＤ−Ｒ、ＣＤ−ＲＷ、ＤＶＤ−Ｒ、ＤＶＤ−ＲＷ等の光ディスクであってよく、また、光ディスク以外のディスク状体であってもよいことは勿論である。
【００７２】
【発明の効果】
本発明によれば、ラベルシートに撓みが生じた場合でもラベルシートを確実に保持でき、ラベルシートをディスク状体に密着でき、ラベルシートをディスク状体に対し正確な位置に貼り付けることのできるラベル保持器具及びラベル貼付装置を提供できる。
【図面の簡単な説明】
【図１】本実施の形態によるラベル貼付装置の斜視図である。
【図２】図１のラベル貼付装置の平面図である。
【図３】図１のラベル貼付装置の側面図である。
【図４】図１のラベル貼付装置のラベル保持器具におけるラベル保持片の位置が図２と異なる場合の平面図である。
【図５】図１のラベル保持器具の載置台の平面図（ａ）、図５（ａ）のＢ−Ｂ線方向に切断して見た断面図（ｂ）及び図５（ａ）のＣ−Ｃ線方向に切断して見た断面図（ｃ）である。
【図６】図５の載置台の底面図である。
【図７】図１のラベル保持器具の案内板の平面図（ａ）、側面図（ｂ）及び図７（ａ）のＣＣ−ＣＣ線方向に切断して見た断面図（ｃ）である。
【図８】図７の案内板の底面図（ａ）及び図８（ａ）のＢＢ−ＢＢ線方向に切断して見た断面図（ｄ）である。
【図９】図１のラベル保持部のラベル保持片及びスライド部の底面図（ａ）、平面図（ｂ）、左側面図（ｃ）、右側面図（ｄ）、正面図（ｅ）及び図９（ｂ）のＦ−Ｆ線方向に切断して見た断面図（ｆ）である。
【図１０】図１のラベル保持器具の各部分の分解斜視図である。
【図１１】図２のラベル保持器具のラベル保持部を図２のＤＤ−ＤＤ線方向に切断して見た要部側断面図である。
【図１２】図１１のラベル保持部の位置をラベルシートに合わせて移動させてからラベルシートと光ディスクとを密着させた状態を示す要部側断面図である。
【図１３】従来のラベル保持部及びラベル貼付装置の斜視図である。
【図１４】図１の蓋体を成形する成形金型の保持突起を成形する部分を示す部分断面図である。
【符号の説明】
１０・・・ラベルシート
１０ａ・・・ラベルシートの中央孔
１１・・・ラベル貼付装置
１２・・・本体
１３・・・蓋体
１９・・・収容ケース
２０・・・ラベル保持器具
２１・・・載置台
２１ａ・・・円形平面（載置面）
２１ｃ・・・切り欠き部
２２・・・ラベル保持部
２２ａ・・・ラベル保持片
２２ｂ・・・スライド部
２２ｃ・・・弾性部
２２ｄ・・・突起部
２２ｅ・・・案内突起
２２ｆ・・・抜け止め部
２３・・・案内板（案内部材）
２３ａ・・・案内開口（案内部）
２３ｂ・・・操作部
Ｄ・・・光ディスク（ディスク状体）
【図１】
2004250022.tif 000003
【図２】
2004250022.tif 000004
【図３】
2004250022.tif 000005
【図４】
2004250022.tif 000006
【図５】
2004250022.tif 000007
【図６】
2004250022.tif 000008
【図７】
2004250022.tif 000009
【図８】
2004250022.tif 000010
【図９】
2004250022.tif 000011
【図１０】
2004250022.tif 000012
【図１１】
2004250022.tif 000013
【図１２】
2004250022.tif 000014
【図１３】
2004250022.tif 000015
【図１４】
2004250022.tif 000016